(57)【要約】  貯蔵容器（２，３）とヒートポンプ（４）とを備える装置（１）であって、ヒートポンプ（４）は、凝縮器（６）と、膨張弁（８）と、蒸発器（１０）と、圧縮機（１２）とを少なくとも有し、ヒートポンプ（４）は、循環する作動流体（２４）のための作動回路（４２）を含み、貯蔵容器（２，３）は、作動回路（４２）に関して凝縮器（６）と蒸発器（１０）との間に配置されており、貯蔵容器（２，３）は、凝縮器における作動流体（２４）の流体レベルを制御するために、プランジャ（１４）および／またはダイヤフラム（１６）を有している、装置（１）が提案される。
2017510781.tif 000002
【特許請求の範囲】
【請求項１】
貯蔵容器（２，３）とヒートポンプ（４）とを備える装置（１）であって、
前記ヒートポンプ（４）は、凝縮器（６）と、膨張弁（８）と、蒸発器（１０）と、圧縮機（１２）とを少なくとも有し、
前記ヒートポンプ（４）は、循環する作動流体（２４）のための作動回路（４２）を含み、
前記貯蔵容器（２，３）は、前記作動回路（４２）に関して前記凝縮器（６）と前記蒸発器（１０）との間に配置されており、
前記貯蔵容器（２，３）は、前記凝縮器（６）における作動流体（２４）の流体レベルを制御するために、プランジャ（１４）および／またはダイヤフラム（１６）を有する
ことを特徴とする装置（１）。
【請求項２】
前記貯蔵容器（２，３）は、プランジャ（１４）を有し、出口弁（１８）および入口弁（２０）を介して前記ヒートポンプ（４）と流体連通されており、
前記出口弁（１８）は、前記作動回路（４２）に関して前記凝縮器（６）と前記膨張弁（８）との間の配置されており、前記入口弁（２０）は、前記膨張弁（８）と前記蒸発器（１０）との間に配置されている、請求項１記載の装置（１）。
【請求項３】
前記貯蔵容器（２，３）は、液圧シリンダ（２）として構成されている、請求項２記載の装置（１）。
【請求項４】
前記出口弁（１８）および／または前記入口弁（２０）は、別の膨張弁（２１）と逆止弁（２２）とを含む、請求項２または３記載の装置（１）。
【請求項５】
前記貯蔵容器（２，３）は、捕集容器（３）として構成され、ダイヤフラム（１６）を含み、
前記捕集容器（３）は、前記作動回路（４２）に関して前記凝縮器（６）と前記膨張弁（８）との間に配置されている、請求項１記載の装置（１）。
【請求項６】
前記捕集容器（３）は、圧縮空気圧縮機（２６）と連通されており、前記圧縮空気圧縮機（２６）は、前記捕集容器（３）の、前記ダイヤフラム（１６）により画定された部分容積（３０）内へ圧縮空気を導入するように構成されている、請求項５記載の装置（１）。
【請求項７】
前記捕集容器（３）の、前記ダイヤフラム（１６）により画定された前記部分容積（３０）は、圧縮空気出口弁（２８）と連通されている、請求項６記載の装置（１）。
【請求項８】
前記捕集容器（３）は、前記ダイヤフラム（１６）を機械式に変位させるように構成された変位ユニットを有する、請求項５から７までのいずれか１項記載の装置（１）。
【請求項９】
作動回路（４２）内で循環する作動流体（２４）を用いてヒートポンプ（４）を運転する方法であって、
作動流体（２４）を、凝縮器（６）により凝縮させ、膨張弁（８）により膨張させ、蒸発器（１０）により蒸発させ、圧縮機（１２）により圧縮させ、
作動流体（２４）を、前記作動回路（４２）に関して前記凝縮器（６）と前記蒸発器（１０）との間で前記貯蔵容器（２，３）へ導き、
前記凝縮器（６）における作動流体（２４）の流体レベルを、前記貯蔵容器（２，３）のプランジャ（１４）および／またはダイヤフラム（１６）を用いて制御する
ことを特徴とする、方法。
【請求項１０】
前記プランジャ（１４）を用いて流体レベルを制御し、前記作動回路（４２）に関して前記凝縮器（６）と前記膨張弁（８）との間で、出口弁（１８）により作動流体（２４）を前記貯蔵容器（２，３）へ導く、請求項９記載の方法。
【請求項１１】
前記作動回路（４２）に関して前記膨張弁（８）と前記蒸発器（１０）との間で、入口弁（２０）により作動流体（２４）を前記貯蔵容器（２，３）から前記ヒートポンプ（４）へ戻し案内し、その際、前記出口弁（１８）を閉じる、請求項１０記載の方法。
【請求項１２】
前記貯蔵容器（２，３）は、捕集容器（３）として構成されており、
前記ダイヤフラム（１６）を用いて流体レベルを制御し、前記作動回路（４２）に関して前記凝縮器（６）と前記膨張弁（８）との間で、作動流体（２４）を前記捕集容器（３）へ導く、請求項９記載の方法。
【請求項１３】
前記捕集容器（３）の、前記ダイヤフラム（１６）により画定された第１の部分容積（３０）および／または第２の部分容積（３１）を、前記ダイヤフラム（１６）の機械式の変位によって増加または減少させる、請求項９から１２までのいずれか１項記載の方法。
【請求項１４】
前記凝縮器（６）における作動流体（２４）の所定の流体レベル閾値よりも上回るかまたは下回ると、作動流体（２４）の流体レベルの制御を行う、請求項９から１３までのいずれか１項記載の方法。
【請求項１５】
作動流体（２４）の所定の温度閾値よりも上回るかまたは下回ると、作動流体（２４）の流体レベルの制御を行う、請求項９から１４までのいずれか１項記載の方法。
【発明の詳細な説明】
【技術分野】
【０００１】
本発明は、ヒートポンプの作動流体の流体レベルを制御する装置および方法に関する。
【背景技術】
【０００２】
冷熱機器、特にヒートポンプでは、通常は流体が作動媒体（作動流体）として使用される。ヒートポンプでは、作動流体は、ヒートポンプの作動回路内で循環する。通常は、作動流体は、ヒートポンプの最初の運転開始時に、ヒートポンプの作動回路に導入され、ヒートポンプを満たす。
【０００３】
従来技術において公知のヒートポンプでは、作動流体の作動回路は、ヒートポンプの運転中、閉じられている。換言すると、ヒートポンプの作動流体は、閉じられた作動回路内で循環する。これにより、作動流体の作動回路、特に作動流体の温度推移に影響が及ぼされることはない。通常は一年に一度実施されるヒートポンプの保守作業の場合にだけ、場合によっては生じる逃げた分の作動流体が補充される。ただし、保守作業中、ヒートポンプは運転されない。
【０００４】
一般的に、ヒートポンプは、熱源から吸収した熱をヒートシンクに放出する。この場合、ヒートシンクの温度だけではなく熱源の温度も変動し得る。公知のヒートポンプは、ヒートシンクおよび／または熱源の温度変動に対して不十分にしか反応することができない。特に、ヒートポンプの効率（成績係数、英語；Ｃｏｅｆｆｉｃｉｅｎｔ  ｏｆ  Ｐｅｒｆｏｒｍａｎｃｅ；ＣＯＰ）が、使用状況に応じて、そのような温度変動によって低下する。
【発明の概要】
【発明が解決しようとする課題】
【０００５】
したがって、本発明の根底を成す課題は、ヒートシンクの温度変動に対するヒートポンプの適合を可能にすることである。
【課題を解決するための手段】
【０００６】
この課題は、独立請求項１の特徴を有する装置および独立請求項９の特徴を有する方法によって解決される。従属請求項には、本発明の好適な態様および改良形が記述されている。
【０００７】
本発明に係る装置は、貯蔵容器とヒートポンプとを備え、ヒートポンプは、凝縮器と、膨張弁と、蒸発器と、圧縮機とを少なくとも有し、ヒートポンプは、循環する作動流体のための作動回路を含み、貯蔵容器は、作動回路に関して凝縮器と蒸発器との間に配置されており、貯蔵容器は、凝縮器における作動流体の流体レベルを制御するためにプランジャおよび／またはダイヤフラムを有している。
【０００８】
本発明によると、プランジャおよび／またはダイヤフラムを有する貯蔵容器をヒートポンプの作動回路に配置することにより、ヒートポンプの凝縮器における作動流体の流体レベルを好適な形で制御することができる。本発明によれば、ヒートポンプの凝縮器における作動流体の流体レベルの制御は、プランジャにより、たとえばプランジャの並進移動により、かつ／または貯蔵容器内のダイヤフラムの変位および／または変形により行われる。特に、本発明に係る装置により、ヒートポンプの運転中の流体の流体レベルの制御が可能になる。
【０００９】
この場合、流体レベルに対する尺度として、凝縮器における作動流体の流体柱（液柱）の高さまたは状態が用いられる。通常は、ヒートポンプの運転中に凝縮された作動流体は、凝縮器の底に集まる。凝縮器において凝縮した作動流体は、ヒートシンクとの熱接触により過冷却される。流体レベルは、凝縮器に集められた作動流体の液柱の高さによって与えられる。
【００１０】
流体レベルが増大した状態では、凝縮器の底に凝縮された作動流体がより多く存在するので、総じて、より多くの作動流体がヒートシンクと熱接触し、したがって、作動流体はより強く過冷却される。したがって、流体レベルの増大または低減により、作動流体の過冷却を制御することができる。本発明によれば、凝縮器における作動流体の過冷却の制御により、ヒートシンクの温度変動に対して反応することができる。換言すると、凝縮器における作動流体の過冷却をヒートシンクの温度変動に適合させることができる。適合は、ヒートポンプが常時できるだけ効率的に作動するように行われる。
【００１１】
これに対して、従来技術において公知のヒートポンプは、凝縮器における流体レベルがほぼ一定であるので、作動流体の過冷却を制御可能ではない。ゆえに、ヒートシンクの温度変動に対する適合は、従来技術では行われない。
【００１２】
本発明によれば、流体レベルの制御によって作動流体の過冷却を制御することにより、ヒートシンクおよび／または熱源の変動に対して直接に反応することができる。この場合、凝縮器におけるエンタルピー差が作動流体の過冷却の増大によって拡大するので、作動流体の過冷却の増大は有利であってよい。これにより、好適には、ヒートポンプの成績係数（ＣＯＰ）ひいては効率が増加する。
【００１３】
本発明の別の利点は、熱源および／またはヒートシンクの大きな温度変動を、作動流体の流体量のわずかな変化によって調整できることにある。これにより、ヒートポンプの作動回路内における作動流体の過剰設定された流体充填量を回避することができる。
【００１４】
さらに好適には、伝熱式熱交換器を用いた運転時に、作動流体の過冷却に関する吸込ガスの過熱を制御することができる。
【００１５】
総じて、プランジャおよび／またはダイヤフラムにより、ヒートポンプの凝縮器における作動流体の流体レベルが制御され、これにより、作動流体の過冷却の調整が行われ、ひいてはヒートシンクの温度変動時のヒートポンプの効率が改善される。
【００１６】
本発明に係る、ヒートポンプを運転する方法では、ヒートポンプの作動回路内で循環する作動流体を、凝縮器により凝縮させ、膨張弁により膨張させ、蒸発器により蒸発させ、圧縮機により圧縮させ、その際、作動流体を、作動回路に関して凝縮器と蒸発器との間で貯蔵容器へ導き、凝縮器における作動流体の流体レベルを、貯蔵容器のプランジャおよび／またはダイヤフラムを用いて制御する。
【００１７】
特にヒートポンプにおける作動流体の流体レベルは、プランジャの並進移動により、かつ／またはダイヤフラムの変位および／または変形により、調整することができる。既に述べられた本発明に係る装置に対して、等価値で同種の利点が得られる。
【００１８】
本発明の好適な態様によれば、貯蔵容器は、プランジャを有し、出口弁および入口弁を介してヒートポンプと流体連通されており、出口弁は、作動回路に関して凝縮器と膨張弁との間の配置されており、入口弁は、膨張弁と蒸発器との間に配置されている。
【００１９】
したがって好適には、作動流体は、凝縮器の下流側でかつ膨張弁の上流側で貯蔵容器へ導かれる。これは、作動流体が凝縮器の下流側でかつ膨張弁の上流側で高い圧力を有するので有利である。したがって、多量の作動流体を、わずかな期間の間にヒートポンプの作動回路から取り出して、貯蔵容器へ導くことができる。
【００２０】
ヒートポンプの作動流体は、貯蔵容器に液体状態で一時貯蔵される。貯蔵容器への作動流体の導入は、好適には出口弁が開いて入口弁が閉じた状態で行われる。流体レベルの制御は、プランジャの直線的な変位による貯蔵容積（貯蔵容器内で作動流体が占める容積）の増加および／または減少により行われる。したがって、貯蔵容積の増加によって、より多くの作動流体を貯蔵容器に収容することができ、その結果、凝縮器における流体レベルが低減され、作動流体の過冷却が低減される。
【００２１】
貯蔵容器の貯蔵容積がプランジャの直線的な変位により減少すると、作動流体は、貯蔵容器から入口弁を介してヒートポンプの作動回路へ戻されるので、凝縮器における流体レベルは増大し、したがって、作動流体の過冷却が増大する。作動流体が貯蔵容器からヒートポンプの作動回路に戻し導入されるとき、出口弁を閉じて入口弁を開くことが好適である。好適には、ヒートポンプの作動回路に戻し案内されるとき、作動流体を、プランジャの変位によって直接に蒸発させてよい。
【００２２】
この場合、液圧シリンダとして構成された貯蔵容器が特に好適である。
【００２３】
好適には、貯蔵容器は、液圧シリンダ、特に複動型の液圧シリンダにより、技術的に簡単に実現することができる。この場合、液圧シリンダ内における圧力は最高で２０ＭＰａが好適である。
【００２４】
さらに、圧縮機油でプランジャの上面を潤滑するようにしてよいので、液圧シリンダのプランジャ内の不密性は問題ではない。液圧シリンダの好適な使用により、同一の作動流体の蒸発温度および凝縮温度では、凝縮器内における作動流体の流体レベルの変化によって５Ｋ〜１５Ｋの範囲で過冷却を達成することができる。
【００２５】
出口弁または入口弁において作動流体を制御するために、前述の弁がそれぞれ別の膨張弁と逆止弁とを含むようにしてよい。
【００２６】
好適には、これにより、ヒートポンプの作動回路と貯蔵容器との間の圧力差を補整することができる。
【００２７】
本発明の好適な態様では、貯蔵容器は捕集容器として構成され、捕集容器はダイヤフラムを含み、捕集容器は、作動回路に関して凝縮器と膨張弁との間に配置されている。
【００２８】
これにより、特に、捕集容器はヒートポンプの作動回路に直接に組み込まれる。この場合、ヒートポンプの作動流体は貯蔵容器に集まり、捕集容器に集められた作動流体の流体量をダイヤフラムによって変化させることができる。換言すると、ダイヤフラムの変形によって、捕集容器の、ダイヤフラムにより画定された部分容積が増加または減少し、これにより、貯蔵容器内で作動流体が占める第２の部分容積（捕集容積）が減少または増加する。
【００２９】
凝縮器における作動流体の過冷却を増大すべき場合には、捕集容器内の第１の部分容積が増加され、したがって、第２の部分容積が減少する。過冷却を低減すべき場合には、ダイヤフラムにより、捕集容器における第１の部分容積が減少されるので、より多くの液状の作動流体が捕集容器の第２の部分容積に集まる。したがって、ダイヤフラムによる、捕集容器で作動流体が占める第２の部分容積（捕集容積）の制御により、凝縮器における作動流体の流体レベルが変化させられる。
【００３０】
そこで、特に好適には、捕集容器は、圧縮空気圧縮機と連通されており、圧縮空気圧縮機は、捕集容器の、ダイヤフラムにより画定された部分容積内へ圧縮空気を導入するように構成されている。
【００３１】
ダイヤフラムの変形、およびこれにより生じる、捕集容器の第１の部分容積または第２の部分容積の変化は、好適には、ダイヤフラムにより画定された第１の部分容積への圧縮空金の導入によって制御される。捕集容器の第１の部分容積は、圧縮空気の導入時に増加するので、捕集容器内で作動流体が占める第２の部分容積が減少する。総じて、これにより、好適には、凝縮器における作動流体の流体レベルを制御することができる。
【００３２】
第１の部分容積の減少は、好適には、捕集容器と連通した圧縮空気出口弁によって行われる。
【００３３】
捕集容器と連通した圧縮空気出口弁を介して圧縮空気が捕集容器の第１の部分容積から放出されると、第１の部分容積が減少する。第１の部分容積の減少により、捕集容器で作動流体が占める第２の部分容積が増加する。したがって、換言すると、より多くの作動流体が捕集容器に集まるので、ヒートポンプの凝縮器における作動流体の過冷却が低減される。したがって、圧縮空気の導入および導出の変更または制御により、作動流体の過冷却が制御される。
【００３４】
本発明の好適な態様によれば、捕集容器は、ダイヤフラムを機械式に変位させるように構成された変位ユニットを有する。
【００３５】
好適には、変位ユニットによるダイヤフラムの変位により、第１の部分容積が増加または減少する。これに対応して第２の部分容積（捕集容積）が減少または増加するので、同様にヒートポンプの凝縮器における作動流体の流体レベルの制御を行うことができる。この態様では、圧縮空気圧縮機および出口弁を、好適には省くことができる。
【００３６】
本発明の好適な態様によれば、凝縮器における作動流体の所定の流体レベル閾値よりも上回るかまたは下回ると、プランジャおよび／またはダイヤフラムを用いた作動流体の流体レベルの制御を行ってよい。
【００３７】
凝縮器における作動流体の流体レベルが作動流体の過冷却と正の相関関係にあるので、好適には、流体レベルの制御を介して、作動流体の過冷却の制御が行われる。たとえば流体レベル閾値に対応する特定の流体レベルよりも上回ると、作動流体は、場合によっては過度に強く過冷却される。したがって、制御としては、作動流体の流体レベルの減少を行わなければならない。流体レベル閾値よりも下回る逆の場合には、制御により、凝縮器における作動流体の充填レベルを増加することができるので、望み通りに増大した作動流体の過冷却が生じる。
【００３８】
本発明の別の好適な態様によれば、作動流体の温度閾値よりも上回るかまたは下回ると、作動流体の流体レベルの制御が行われる。
【００３９】
たとえば、作動流体の温度ひいては作動流体の過冷却を、凝縮器における温度の測定によって直接に検出することができる。通常は、凝縮器における作動流体の温度は、凝縮器における作動流体の流体レベルに対して反比例している。流体レベルが高い場合は、大きな過冷却ひいては低い温度の作動流体が存在する一方、流体レベルがより低い場合は、より高い温度の作動流体ひいてはより小さな過冷却が存在する。したがって、作動流体の温度の測定は、好適には、ヒートポンプの凝縮器内で行われる。作動流体の作動回路に温度および流体レベルの別の測定点を設けてよい。
【００４０】
本発明の別の利点、特徴および詳細は、以下に記述される実施の形態および図面に基づいて明らかである。
【図面の簡単な説明】
【００４１】
【図１】液圧シリンダとして構成された貯蔵容器を備えるヒートポンプを示す図である。
【図２】流体レベルを制御するためにダイヤフラムを有する捕集容器を備えるヒートポンプを示す図である。
【発明を実施するための形態】
【００４２】
同等の構成要素には、複数の図面において、同一の符号が設けられてよい。
【００４３】
図１は、ヒートポンプ４と貯蔵容器２とを備える装置１を示している。この装置では、ヒートポンプ４は、凝縮器６と、膨張弁８と、蒸発器１０と、圧縮機１２とを備える。ヒートポンプ４は、出口弁１８および入口弁２０を介して、ヒートポンプ４の作動流体２４に関して貯蔵容器２と流体連通されている。作動流体２４は、ヒートポンプ４内で所定の作動回路４２で循環する。
【００４４】
図１に示す装置１の態様では、貯蔵容器２は、液圧シリンダ２として構成されていて、プランジャ１４を備えている。液圧シリンダ２の貯蔵容積３０の制御は、プランジャ１４の直線移動を介して行われる。直線移動は、図１において、方向矢印３２，３３によって明確化されている。換言すると、作動流体２４が液圧シリンダ２内で占める第１の部分容積３０は、プランジャ１４の直線移動によって増加する（方向矢印３３）かまたは減少する（方向矢印３２）。
【００４５】
出口弁１８が開かれ入口弁２０が閉じられた状態で、凝縮器６において凝縮された作動流体２４は、作動回路４２または作動回路４２の向きに関して凝縮器６の下流側でかつ膨張弁８の上流側で、液圧シリンダ２へ導入される。好適には、液圧シリンダ２への作動流体２４の導入が膨張弁８の上流側で行われるので、作動流体２４は、たとえば１０ＭＰａ〜２０ＭＰａの範囲の高い圧力下で、液圧シリンダ２へ導入される。増大された圧力により、多量の作動流体２４を極めてわずかな時間でヒートポンプ４の作動回路４２から取り出して、液圧シリンダ２へ導入することができる。換言すると、増大した圧力により、出口弁１８における作動流体２４の質量流量が増加する。制御を行うために、出口弁１８および入口弁２０に別の膨張弁２１および逆止弁２２が設けられている。
【００４６】
ヒートポンプ４の作動回路４２へ作動流体２４を戻し案内するために、出口弁１８が閉じられ入口弁２０が開かれる。この場合、作動流体２４は、方向矢印３２により示唆された直線移動により、液圧シリンダ２から押し出される。作動流体２４の戻し案内は、作動回路４２に関して好適には膨張弁８の下流側で低い圧力レベルで行われる。好適には、これにより、作動流体２４を直接に蒸発させてよい。
【００４７】
方向矢印３３により示唆されたプランジャ１４の移動による貯蔵容積３０の増加によって、より多くの作動流体２４が液圧シリンダ２内に集められると、凝縮器６における作動流体２４の流体レベルが低下する。凝縮器６における作動流体２４の流体レベルがより低くなると、過冷却がより低減される。したがって、作動流体２４は、ほぼ飽和液線上で凝縮器６を離れ、ゆえに蒸気相との熱力学的平衡にある。換言すると、作動流体２４は、過冷却されない、またはわずかしか過冷却されない。
【００４８】
総じて、図示の装置１がヒートポンプ４の凝縮器６における作動流体２４の流体レベルを制御することができるので、凝縮器６における作動流体２４の過冷却を制御することができる。
【００４９】
図２は、ヒートポンプ４と捕集容器３とを備える装置１を示している。この装置１では、ヒートポンプ４は、凝縮器６と、膨張弁８と、蒸発器１０と、圧縮機１２とを備える。図２に示す装置１の態様では、捕集容器３はダイヤフラム１６を有しており、ダイヤフラム１６は、捕集容器３の総容積を、第１の部分容積３０と第２の部分容積３１とに分ける。
【００５０】
ヒートポンプ４の作動回路４２で循環する作動流体２４は、捕集容器３の第２の部分容積３１（捕集容積）に捕集される。捕集容器３は、作動回路４２に関して凝縮器６の下流側にかつ膨張弁８の上流側に配置されていて、ヒートポンプ４の作動回路４２に直接組み込まれている。
【００５１】
ダイヤフラム１６により画定された第１の部分容積３０は、圧縮空気圧縮機２６による圧縮空気の導入によって増加する。部分容積３０の増加または減少が伝わり、第２の部分容積３１が減少または増加する。第１の部分容積３０の減少または第２の部分容積３１の増加は、圧縮空気出口弁２８による圧縮空気の導出により行われる。第１の部分容積３０が圧縮空気圧縮機２６による圧縮空気の導入によって増加すると、捕集容器３に捕集される作動流体２４がわずかになる。したがって、より多くの作動流体２４がヒートポンプ４の凝縮器６に集まる。これにより、凝縮器６における流体レベルが増大するので、凝縮器６における作動流体２４は、より強く過冷却される。
【００５２】
圧縮空気出口弁２８による圧縮空気の導出により第１の部分容積３０が減少するとき、第２の部分容積３１は増加するので、より多くの作動流体２４が捕集容器３に集まる。これにより、ヒートポンプ４の作動回路４２における作動流体２４の流体レベルが低下し、結果、作動流体２４は、凝縮器６から引き出され、凝縮器６における作動流体２４の過冷却が低減される。
【００５３】
作動流体２４として、従来技術において公知の作動流体、たとえばＲ１３４ａおよび／またはＲ２４５ｆａを使用することができる。好適には、作動流体は、１，１，１，２，２，４，５，５，５−ノナフルオロ−４−（トリフルオロメチル）−３−ペンタノン（商品名Ｎｏｖｅｃ（登録商標）６４９）、ペルフルオロメチルブタノン、１−クロロ−３，３，３−トリフルオロ−１−プロペン、ｃｉｓ−１，１，１，４，４，４−ヘキサフルオロ−２−ブテンおよび／またはシクロペンタンの物質のうちの少なくとも１つを含む作動流体であってもよい。Ｒ１３４ａ、Ｒ４００ｃおよび／またはＲ４１０ａの使用を意図してもよい。
【００５４】
本発明を細部にわたり好適な態様によって詳しく例示し記述したが、本発明は、開示された例によって制限されるものではなく、当業者は、本発明の権利保護範囲から逸脱することなく、開示された例から別の変化形態を導き出すことができる。
【図１】
2017510781.tif 000003
【図２】
2017510781.tif 000004
【国際調査報告】
2017510781.tif 000005
2017510781.tif 000006
2017510781.tif 000007
2017510781.tif 000008
2017510781.tif 000009
2017510781.tif 000010
2017510781.tif 000011
2017510781.tif 000012